(57)【特許請求の範囲】
【請求項１】
第１ケース（６１）と、  前記第１ケース（６１）に組み付けられる第２ケース（６２）と、  駆動力を発生する駆動部（６４）と、  前記駆動部（６４）が発生する駆動力によって回転し、エレメント（３）を相対移動させる回転体（６５）と、  前記第１ケース（６１）と前記第２ケース（６２）の内部に設けられて、エレメント（３）の噛合い側に突出した噛合案内突出部（６２ｄ）を備え、  前記駆動部（６４）は、回転体（６５）に対して噛合案内突出部（６２ｄ）と反対側に配置されていることを特徴とする電動スライダー（６）。
【請求項２】
少なくとも前記第１ケース（６１）は前記回転体（６５）、及び、前記噛合案内突出部（６２ｄ）の全体を覆うように構成されていることを特徴とする請求項１に記載の電動スライダー（６）
【請求項３】
組み付けられた前記第１ケース（６１）と前記第２ケース（６２）は、噛み合った前記エレメント（３）が出入りする噛合側出入部（６１２）を有することを特徴とする請求項２に記載の電動スライダー（６）。
【請求項４】
前記第１ケース（６１）と前記第２ケース（６２）に組み付けられる第３ケース（６３）を備え、  組み付けられた前記第１ケース（６１）、前記第２ケース（６２）及び前記第３ケース（６３）は、分離した前記エレメント（３）が出入りする分離側出入部（６３ａ）を有することを特徴とする請求項３に記載の電動スライダー（６）。
【請求項５】
前記第３ケース（６３）は、前記駆動部（６４）を支持する支持部（６３ｂ）を有することを特徴とする請求項４に記載の電動スライダー（６）。
【請求項６】
前記駆動部（６４）は、前記第１ケース（６１）及び前記第２ケース（６２）で規定される領域の外側に突出して配置されることを特徴とする請求項１乃至５のいずれか１つに記載の電動スライダー（６）。
【請求項７】
第２ケース（６２）に対して折り畳み可能に取り付けられる引手部（７）をさらに備えることを特徴とする請求項１乃至６のいずれか１つに記載の電動スライダー（６）。
【請求項８】
前記回転体（６５）は、前記エレメント（３）が噛み合う側に向けて径が短くなることを特徴とする請求項１乃至７のいずれか１つに記載の電動スライダー（６）。
【請求項９】
無線機と信号を通信する通信部（６９）をさらに備え、  前記通信部（６９）は、前記第２ケース（６２）に形成された凹状の回路系収納部（６２ｆ）に収納されることを特徴とする請求項１乃至８のいずれか１つに記載の電動スライダー（６）。
【請求項１０】
前記駆動部（６４）に電力を供給する電源部（６８）をさらに備え、  前記電源部（６８）は、前記第２ケース（６２）に形成された凹状の回路系収納部（６２ｆ）に収納されることを特徴とする請求項１乃至９のいずれか１つに記載の電動スライダー（６）。
【請求項１１】
請求項１乃至１０のいずれか１つに記載の電動スライダー（６）と、  一対のファスナーテープ（２）及び前記各ファスナーテープ（２）にそれぞれ固定された複数の前記エレメント（３）からなるエレメント列（３０）を含むスライドファスナーチェーン（１）と、を備え、  前記電動スライダー（６）内を前記エレメント（３）が通過することで、前記エレメント列（３０）を噛合又は分離させることを特徴とする電動スライドファスナーシステム（１０）。
【発明の詳細な説明】
【技術分野】
【０００１】  本発明は、電動で移動させる電動スライダー及び電動スライドファスナーシステムに関する。
【背景技術】
【０００２】  従来、スライダーを電動で移動させる電動スライダーが開示されている（特許文献１〜５）。
【先行技術文献】
【特許文献】
【０００３】
【特許文献１】日本国特許公開２００１−２６９２０３号
【特許文献２】日本国特許公開２００９−０７７９４７号
【特許文献３】中国実用新案登録２９２５１７４号
【特許文献４】中国実用新案登録２０４７４２８６０号
【特許文献５】米国第２０１５／００８２５８２号公開公報
【発明の概要】
【発明が解決しようとする課題】
【０００４】  しかしながら、特許文献１〜５に記載の電動スライダーは、電動モータや歯車伝達機構の機械的構成について記載されているが、各構成要素の設置構造及びその作動が現実的ではなく、まだまだ実用化のためには改良すべき不具合が多くあるものであった。特に、特許文献１の図２には、ウォーム歯車式の電動スライダーが開示されているが、電動モータをスライダーの内部のエレメント噛合い開始位置近傍に配置する設計のため、電動モータの大きさに制約があるという不具合や、エレメントを噛合い状態にしっかりと案内するための機械設計に制約があるなどの不具合があった。特許文献２〜５に記載のものは、平歯車や傘歯車を組み合わせて、電動モータからの動力伝達をしなければならないため、ウォーム歯車式のものと比較すると、部品の配置や機構がさらに複雑になり、全体的に大型化してしまうものであった。【０００５】  本発明は、上記の不具合を解消するためのものであり、各構成要素を適切に設置し、適切に作動させることが可能な電動スライダー及び電動スライドファスナーシステムを提供することを目的とする。
【課題を解決するための手段】
【０００６】  本発明の一実施形態にかかる電動スライダーは、  第１ケースと、  前記第１ケースに組み付けられる第２ケースと、  駆動力を発生する駆動部と、  前記駆動部が発生する駆動力によって回転し、エレメントを相対移動させる回転体と、  前記第１ケースと前記第２ケースの内部に設けられて、エレメントの噛合い側に突出した噛合案内突出部を備え、  駆動部は、回転体に対して噛合案内突出部と反対側に配置されていることを特徴とする。【０００７】  本発明の一実施形態にかかる電動スライダーは、  少なくとも前記第１ケースは前記回転体、及び、前記噛合案内突出部の全体を覆うように構成されていることを特徴とする。【０００８】  本発明の一実施形態にかかる電動スライダーは、  組み付けられた前記第１ケースと前記第２ケースは、噛み合った前記エレメントが出入りする噛合側出入部を有することを特徴とする。【０００９】  本発明の一実施形態にかかる電動スライダーは、  前記第１ケースと前記第２ケースに組み付けられる第３ケースを備え、  組み付けられた前記第１ケース、前記第２ケース及び前記第３ケースは、分離した前記エレメントが出入りする分離側出入部を有することを特徴とする。【００１０】  本発明の一実施形態にかかる電動スライダーは、  前記第３ケースは、前記駆動部を支持する支持部を有することを特徴とする。【００１１】  本発明の一実施形態にかかる電動スライダーは、  前記駆動部は、前記第１ケース及び前記第２ケースで規定される領域の外側に突出して配置されることを特徴とする。【００１２】  本発明の一実施形態にかかる電動スライダーは、  第２ケースに対して折り畳み可能に取り付けられる引手部をさらに備えることを特徴とする。【００１３】  本発明の一実施形態にかかる電動スライダーは、  前記回転体は、前記エレメントが噛み合う側に向けて径が短くなることを特徴とする。【００１４】  本発明の一実施形態にかかる電動スライダーは、  無線機と信号を通信する通信部をさらに備え、  前記通信部は、前記第２ケースに形成された凹状の回路系収納部に収納されることを特徴とする。【００１５】  本発明の一実施形態にかかる電動スライダーは、  前記駆動部に電力を供給する電源部をさらに備え、  前記電源部は、前記第２ケースに形成された凹状の回路系収納部に収納されることを特徴とする。【００１６】  本発明の一実施形態にかかる電動スライドファスナーシステムは、  前記電動スライダーと、  一対のファスナーテープ及び前記各ファスナーテープにそれぞれ固定された複数の前記エレメントからなるエレメント列を含むスライドファスナーチェーンと、を備え、  前記電動スライダー内を前記エレメントが通過することで、前記エレメント列を噛合又は分離させることを特徴とする。
【発明の効果】
【００１７】  本発明の一実施形態にかかる電動スライダー及び電動スライドファスナーシステムによれば、各構成要素を適切に設置し、適切に作動させることが可能となる。
【図面の簡単な説明】
【００１８】
【図１】本実施形態にかかる電動スライドファスナーシステムを示す。
【図２】第１実施形態にかかる電動スライダーを示す。
【図３】第１実施形態にかかる電動スライダーの裏側から透過した図を示す。
【図４】第１実施形態にかかる電動スライダーによるエレメントの開閉状態を示す。
【図５】図４における電動スライダーのV−V断面を示す。
【図６】第２実施形態にかかる電動スライダーの裏側から透過した図を示す。
【図７】第２実施形態にかかる電動スライダーによるエレメントの開閉状態を示す。
【図８】図７における電動スライダーのVIII−VIII断面を示す。
【図９】第３実施形態にかかる電動スライダーによるエレメントの開閉状態を示す。
【発明を実施するための形態】
【００１９】  以下、図面に基づき本発明にかかる一実施形態の電動スライダー６及び電動スライドファスナーシステム１０を具体的に説明する。
【００２０】  図１は、第１実施形態にかかる電動スライドファスナーシステム１０の正面図である。
【００２１】  第１実施形態にかかるスライドファスナーシステム１０は、一対のファスナーテープ２，２と、各ファスナーテープ２の対向する導電部２１に沿って、所定の間隔を空けて形成された複数のエレメント３と、複数のエレメント３で形成されるエレメント列３０の終端で、ファスナーテープ２の芯部２１に固定された止具４，５と、エレメント３に沿って移動することにより、エレメント３を噛合又は分離させる電動スライダー６とからなる。エレメント列３０は、スライドファスナーチェーン１の前後方向に終端を有する。止具は、エレメント列３０の前端に配置された前止具４と、エレメント列３０の後端に配置された後止具５を有する。なお、エレメント３、止具は樹脂材料または金属材料からなっている。
【００２２】  なお、本実施形態のスライドファスナーチェーン１において、ファスナーテープ２の長さ方向を前後方向（Ｆ−Ｂ方向）とし、矢印Ｆ（前方向），Ｂ（後方向）で示す。また、ファスナーテープ２の幅方向を左右方向（Ｌ−Ｒ方向）とし、矢印Ｌ（左方向），Ｒ（右方向）で示す。さらに、ファスナーテープ２の表裏方向を上下方向（Ｕ−Ｄ方向）とし、矢印Ｕ（上方向），Ｄ（下方向）で示す。
【００２３】  スライドファスナーチェーン１は、左右一対のファスナーテープ２と、ファスナーテープ２の長さ方向に所定の間隔をおいて、各ファスナーテープ２の対向する芯部２１に固定された複数のエレメント３と、を有する。なお、電動スライダー６は、エレメント３に沿って、スライドファスナーチェーン１の前後方向に移動することにより、エレメント３を噛合又は分離させることができる。
【００２４】  ファスナーテープ２は、ファスナーテープ２の上下面から隆起するとともに、ファスナーテープ２の前後方向に延びた芯部２１を有する。エレメント３は、ファスナーテープ２の芯部２１に取り付けられる。ファスナーテープ２は、衣服又はバッグ等にスライドファスナーとして取り付けられた際に人目に付く側を、上面２ａ側とし、その反対側を下面２ｂ側とする。
【００２５】  前止具４は、一対のファスナーテープ２の各エレメント列３０の前端にそれぞれ配置されている。後止具５は、一対のファスナーテープ２の各エレメント列３０の後端に一つだけ配置されている。後止具５は、エレメント３の分離とともに、各ファスナーテープ２が分離しないように、各ファスナーテープ２を連結している。なお、後止具５は、図示例に限定されない。例えば、後止具５は、一方のファスナーテープ２のエレメント列３０の後端に固定された図示しない差込棒と、他方のファスナーテープ２のエレメント列３０の後端に固定され、差込棒が差込可能な図示しない穴を備えた箱とを有していてもよい。この場合、各ファスナーテープ２は、エレメント３の分離とともに分離することができる。電動スライダー６は、前止具４と後止具５の間において、スライドファスナーチェーン１の前後方向に移動することができる。
【００２６】  図２は、第１実施形態にかかる電動スライダー６を示す。図３は、第１実施形態にかかる電動スライダー６の一部を透過した図を示す。図４は、第１実施形態にかかる電動スライダー６によるエレメント３の開閉状態を示す。図５は、図４における電動スライダーのV−V断面を示す。（なお、エレメント３は説明の便宜上、断面図には図示していない）
【００２７】  電動スライダー６は、第１ケース６１と、第１ケース６１に組み付けられる第２ケース６２と、第１ケース６１と第２ケース６２に組み付けられる第３ケース６３と、駆動力を発生する駆動部６４と、駆動部６４が発生する駆動力によって回転する回転体６５と、を備える。なお、第３ケース６３は上下方向の中間部分から２分割して、それぞれ、第１ケース６１と第２ケース６２と一体に設けて部品点数を減少させるように設計してもよい。
【００２８】  第１ケース６１と第２ケース６２は、向かい合う面の左右方向の側縁に、エレメント３をガイドする第１フランジ６１ａと第２フランジ６２ａをそれぞれ有する。第１フランジ６１ａの前方端と第２フランジ６２ａの前方端は、内側から外側に向けて傾斜する第１誘導部６１ｂと第２誘導部６２ｂがそれぞれ形成される。第１フランジ６１ａの後方端と第２フランジ６２ａの後方端は、それぞれ左右から近づくように形成される。第１フランジ６１ａと第２フランジ６２ａは、エレメント３をガイドするエレメント案内部６１ａ，６２ａを形成する。
【００２９】  第１ケース６１と第２ケース６２が向かい合う面の前方Ｆ側には、回転体６５を収納する凹状の第１回転体収納部６１ｃと第２回転体収納部６２ｃがそれぞれ形成される。第１回転体収納部６１ｃと第２回転体収納部６２ｃは、第１ケース６１と第２ケース６２が組み付けられると、回転体６５を収納する空間で回転体収納部６１ｃ，６２ｃを形成する。
【００３０】  また、第２ケース６２は、第２回転体収納部６２ｃの後方Ｂ側の中央部に第２フランジ６１ａよりも高く、エレメントの噛合い側に向けて先細になるように突出した噛合案内突出部６２ｄを有する。噛合案内突出部６２ｄは、エレメントの噛合角が最適になるようにエレメントの噛合い側（後方Ｂ側）に向かうにつれて左右方向の長さが小さくなるような先細の形状となっている。
【００３１】  第３ケース６３は、左右方向（Ｌ−Ｒ方向）両端に形成される切欠によって規定され、分離したエレメント３が出入りする分離側出入部６３ａと、中央に駆動部６４が挿入される孔によって規定される支持部６３ｂと、を有する。
【００３２】  第１ケース６１、第２ケース６２及び第３ケースは、それぞれネジ６２１，６３１，６３２によって取り外し可能なように組み付けられている。なお、ネジに代えて、爪等の機械的な周知手段で取り外し可能に組み付けることでもよい。第１ケース６１と第２ケース６２が組み付けられると、後方端に第１フランジ６１ａと第２フランジ６２ａで形成される孔によって区画される噛合側出入部６１２が形成される。したがって、分離側出入部６３ａ、噛合側出入部６１２、第１フランジ６１ａと第２フランジ６２ａ、第１誘導部６１ｂと第２誘導部６２ｂ、及び噛合案内突出部６２ｄは、エレメント３をガイドするエレメント案内部６３ａ，６１２，６１ａ，６２ａ，６１ｂ，６２ｂ，６２ｄを形成する。なお、エレメント案内部は、これらの要素を全て有する必要はない。エレメント３は、前方Ｆ側で分離され、後方Ｂ側で噛合される。
【００３３】  このように、第１実施形態の電動スライダー６では、組み付けられた第１ケース６１と第２ケース６２は、噛み合ったエレメント３が出入りする噛合側出入部６１２を有するので、エレメント３を適切に相対移動させることが可能となる。
【００３４】  また、第１ケース６１は、回転体６５、及び、噛合案内突出部６２ｄの全体を覆うように構成されている。そのため、第１ケース６１を第２ケース６２から取り外すことで、回転体６５、及び、噛合案内突出部６２ｄの部分のメンテナンスや、エレメント噛合い不良の調整を簡単に行える。
【００３５】  また、第１実施形態の電動スライダー６は、第１ケース６１と第２ケース６２に組み付けられる第３ケース６３を備え、組み付けられた第１ケース６１、第２ケース６２及び第３ケース６３は、分離したエレメント３が出入りする分離側出入部６３ａを有するので、エレメント３を適切に相対移動させることが可能となる。
【００３６】  駆動部６４は、駆動力を発生するモータ６４ａと、モータ６４ａの回転を減速する減速機６４ｂと、を有する。駆動部６４は、第３ケース６３の支持部６３ｂに対して軸受等によって回転可能に適切に支持される。モータ６４ａは、電源から通電され、駆動力を発生する。
【００３７】  また、第１実施形態の電動スライダー６では、駆動部６４は、第１ケース６１及び第２ケース６２で規定される領域の外側に突出して配置される。したがって第１実施形態の電動スライダー６は、第１ケース６１及び第２ケース６２を従来のスライダーに近い大きさ及び形状に形成することが可能となる。
【００３８】  また、駆動部６４と回転体６５とは、回転軸が同一軸線状上に配置されており、駆動部６４は回転体６５に対して噛合案内突出部６２ｄと反対側に配置されている。したがって、駆動部６４の配置による制約等の悪影響を受けることなく、エレメント噛合いの調整のうえで重要となる噛合案内突出部６２ｄの形状設計を、従来どおりに自由に行うことができる。さらに、駆動部６４を第１ケース６１及び第２ケース６２から突出して配置することも可能であるため、より大型で高出力な電動モータを選択して使用することもできることとなる。
【００３９】  回転体６５は、前方Ｆ側が減速部６４ｂに連結され、後方Ｂ側が第２ケース６２の噛合案内突出部６２ｄに対して軸受等によって回転可能に支持される軸部６５ａと、軸部６５ａの外周に螺旋状に形成されるエレメント送り部６５ｂと、を有する。回転体６５は、駆動部６４が発生する駆動力によって回転する。
【００４０】  第１実施形態の電動スライダー６は、引手７１と、引手７１を第２ケース６２に取り付ける引手取付部７２と、を有する引手部７を備える。引手部７は、第２ケース６２に対して折り畳み可能に取り付けられ、通常時、外部に目立つことがない。このように、引手部７を取り付けることによって、電力が不足した場合やモータの故障時に手動で電動スライダー６を移動させることが可能となる。なお、引手部７は、必ずしも設けなくてもよい。
【００４１】  次に、第１実施形態にかかる電動スライダー６及びスライドファスナーシステム１０の作動について説明する。
【００４２】  図示しない電源がＯＮとなり、駆動部６４の駆動モータ６４ａが駆動すると、減速機６４ｂで減速された回転数で回転体６５が回転する。回転体６５が回転すると、軸部６５ａの外周に螺旋状に形成されるエレメント送り部６５ｂが回転する。図４に示すように、エレメント３が存在する断面で見ると、エレメント３はエレメント送り部６５ｂの間隙に位置する。そのため、回転体６５が回転すると、エレメント３はエレメント送り部６５ｂによって相対的に移動される。実際には、図１に示したように、エレメント３は、ファスナーテープ２に固定されているので、電動スライダー６がエレメント３に対して移動する。
【００４３】  前方Ｆ側から後方Ｂ側を見て、回転体６５が時計回りに回転した際、電動スライダー６は、後方Ｂ側に進み、エレメント３を分離して、スライドファスナーシステム１０を開放する。反対に、前方Ｆ側から後方Ｂ側を見て、回転体６５が反時計回りに回転した際、電動スライダー６は、前方Ｆ側に進み、エレメント３を噛合して、スライドファスナーシステム１０を閉鎖する。
【００４４】  図６は、第２実施形態にかかる電動スライダー６の一部を透過した図を示す。図７は、第２実施形態にかかる電動スライダー６によるエレメント３の開閉状態を示す。図８は、図７における電動スライダーのVIII−VIII断面を示す。
【００４５】  第２実施形態にかかる電動スライダー６は、駆動部６４、電源部６８、及び通信部６９を第１ケース６１、第２ケース６２、及び第３ケース６３内に収納した例である。駆動部６４及び回転体６５は、第１実施形態の電動スライダー６と同じ構造なので説明は省略する。なお、第３ケース６３は上下方向の中間部分から２分割して、それぞれ、第１ケース６１と第２ケース６２と一体に設けて部品点数を減少させるように設計してもよい。
【００４６】  第１ケース６１と第２ケース６２は、向かい合う面の左右方向の側縁に、エレメント３をガイドする第１フランジ６１ａと第２フランジ６２ａをそれぞれ有する。第１フランジ６１ａの前方端と第２フランジ６２ａの前方端は、内側から外側に向けて傾斜する第１誘導部６１ｂと第２誘導部６２ｂがそれぞれ形成される。第１フランジ６１ａの後方端と第２フランジ６２ａの後方端は、それぞれ左右から近づくように形成される。第１フランジ６１ａと第２フランジ６２ａは、エレメント３をガイドするエレメント案内部６１ａ，６２ａを形成する。
【００４７】  第２実施形態の電動スライダー６では、第１ケース６１と第２ケース６２は、前後方向（Ｆ−Ｂ方向）の中央部分の向かい合う面に、回転体６５を収納する凹状の第１回転体収納部６１ｃと第２回転体収納部６２ｃがそれぞれ形成される。第１回転体収納部６１ｃと第２回転体収納部６２ｃは、第１ケース６１と第２ケース６２が組み付けられると、回転体６５を収納する空間で回転体収納部６１ｃ，６２ｃを形成する。
【００４８】  さらに、第１ケース６１と第２ケース６２は、前方Ｆ側の向かい合う面に、駆動部６４を収納する凹状の第１駆動系収納部６１ｄと第２駆動系収納部６２ｅがそれぞれ形成される。第１駆動系収納部６１ｄと第２駆動系収納部６２ｅは、第１ケース６１と第２ケース６２が組み付けられると、駆動部６４を収納する空間で駆動系収納部６１ｄ，６２ｅを形成する。
【００４９】  また、第２ケース６２は、第２回転体収納部６２ｃの後方Ｂ側の中央部に第２フランジ６１ａよりも高く、エレメントの噛合い側に向けて先細になるように突出した噛合案内突出部６２ｄを有する。噛合案内突出部６２ｄは、エレメントの噛合角が最適になるようにエレメントの噛合い側（後方Ｂ側）に向かうにつれて左右方向の長さが小さくなるような先細の形状となっている。さらに、第２ケース６２は、第１ケース６１とは反対側の面に凹状の回路系収納部６２ｆが形成される。回路系収納部６２ｆは、蓋部６７によって覆われる。蓋部６７は、第２ケース６２にネジ又は爪等によって組み付けられる。
【００５０】  第３ケース６３は、左右方向（Ｌ−Ｒ方向）両端に形成される切欠によって規定され、エレメント３が出入りする分離側出入部６３ａを有する。なお、内側の中央に駆動部６４が挿入される凹部によって規定される図示しない支持部を形成してもよい。
【００５１】  第１ケース６１、第２ケース６２及び第３ケースは、それぞれネジ６２１，６３１，６３２によって取り外し可能なように組み付けられている。なお、ネジに代えて、爪等の機械的な周知手段で取り外し可能に組み付けることでもよい。第１ケース６１と第２ケース６２が組み付けられると、後方端に第１フランジ６１ａと第２フランジ６２ａで形成される孔によって区画される噛合側出入部６１２が形成される。したがって、分離側出入部６３ａ、噛合側出入部６１２、第１フランジ６１ａと第２フランジ６２ａ、第１誘導部６１ｂと第２誘導部６２ｂ、及び噛合案内突出部６２ｄは、エレメント３をガイドするエレメント案内部を形成する。エレメント３は、前方Ｆ側で分離され、後方Ｂ側で噛合される。
【００５２】  なお、第２実施形態の電動スライダー６は、第１実施形態と同様に、以下の効果も有する。
【００５３】  第２実施形態の電動スライダー６は、組み付けられた第１ケース６１と第２ケース６２は、噛み合ったエレメント３が出入りする噛合側出入部６１２を有するので、エレメント３を適切に相対移動させることが可能となる。
【００５４】  また、第１ケース６１は、回転体６５、及び、噛合案内突出部６２ｄの全体を覆うように構成されている。そのため、第１ケース６１を第２ケース６２から取り外すことで、回転体６５、及び、噛合案内突出部６２ｄの部分のメンテナンスや、エレメント噛合い不良の調整を簡単に行える。
【００５５】  さらに、電動スライダー６は、第１ケース６１と第２ケース６２に組み付けられる第３ケース６３を備え、組み付けられた第１ケース６１、第２ケース６２及び第３ケース６３は、分離したエレメント３が出入りする分離側出入部６３ａを有するので、エレメント３を適切に相対移動させることが可能となる。
【００５６】  また、駆動部６４と回転体６５とは、回転軸が同一軸線状上に配置されており、駆動部６４は回転体６５に対して噛合案内突出部６２ｄと反対側に配置されている。したがって、駆動部６４の配置による制約等の悪影響を受けることなく、エレメント噛合いの調整のうえで重要となる噛合案内突出部６２ｄの形状設計を、従来どおりに自由に行うことができる。
【００５７】  第２実施形態の電動スライダー６は、電源スイッチ６６、電源部６８及び通信部６９を有する。電源部６８及び通信部６９は、第２ケース６２に形成された凹状の回路系収納部６２ｆに収納される。したがって、本実施形態の電動スライダー６によれば、電源部６８及び通信部６９を目立つことなく、収納することが可能となる。電源スイッチ６６は、電源部６８から通電を開始させるスイッチであって、スライド式スイッチ又は押しボタン式スイッチ等で形成される。電源部６８は、電池又は充電池であって、電源スイッチ６６がＯＮに切り替わると、駆動部６４に通電を開始する。
【００５８】  通信部６９は、図示しない無線機と通信することが可能である。通信部６９を有することによって、無線機からエレメント３を開閉するための無線信号を受け取って、スライダー６を遠隔から制御することが可能となる。例えば、無線機からの無線信号によって、電源スイッチ６６とは別にスイッチのＯＮ／ＯＦＦ制御をしたり、移動方向や移動速度を変更したりしてもよい。
【００５９】  なお、無線機として、タッチパネル式の携帯通信端末を用いてもよく、より具体的には、スマートフォンを用いてもよい。その場合、専用のアプリによって動作させることが好ましい。無線機としてはラジオコントロール機器用のプロポを用いても良い。
【００６０】  図９は、第３実施形態にかかる電動スライダー６によるエレメント３の開閉状態を示す。
【００６１】  第３実施形態の電動スライダー６は、回転体６５の構造が第１実施形態及び第２実施形態の回転体６５とは異なるものである。第３実施形態の回転体６５の軸部６５ａは、噛合案内突出部６２ｄの機能を一体に有するように、軸部６５ａと噛合案内突出部６２ｄの一部とが一体となるように形成されており、具体的には、後方Ｂ側に向かうにつれて径（いいかえると左右方向の長さ）が短くなる略円錐形のスクリュー形状に形成される。軸部６５ａの外周には螺旋状に形成されるエレメント送り部６５ｂが形成される。
【００６２】  軸部６５ａの先端には先端軸６５ｃが一体に形成されている。先端軸６５ｃは、第２ケース６２の底部から上方向（Ｄ方向）に隆起して形成される軸受６５ｄに支持されている。軸受６５ｄはエレメントの噛合角が最適になるような形状に設計されている。そのため、軸受６５ｄは噛合案内突出部６２ｄの機能を有しており、噛合案内突出部６２ｄの一部をなしている。
【００６３】  このような構造に変更すると、図３に示した第１実施形態の電動スライダー６の噛合案内突出部６２ｄの位置から回転体６５を一体に形成することができるので、回転体６５と噛合案内突出部６２ｄとを合わせた全長が短縮化できる。それにより、駆動部６４を第１ケース６１と第２ケース６２の内部に突出するように配置することもでき、実質的に図３に示した第１実施形態の電動スライダー６の回転体６５の位置に駆動部６４を配置することもできる。
【００６４】  もちろん、駆動部６４を第１ケース６１と第２ケース６２の内部に突出するように配置するのではなく、第１ケース６１と第２ケース６２を回転体６５の長さに合わせて短縮化してもよい。したがって、第３実施形態の電動スライダー６は、第１実施形態及び第２実施形態の電動スライダー６よりも、小型化及び軽量化される。
【００６５】  なお、第３実施形態の電動スライダー６は、第１ケース６１と第２ケース６２の両方の向かい合う面を凹状に形成することで、エレメント案内部６１ａ，６２ａ、回転体収納部６１ｃ，６２ｃ及び駆動系収納部６１ｄ，６２ｅを形成した。しかしながら、第１ケース６１と第２ケース６２のいずれか一方を凹状に形成し、他方を蓋状の平面とすることにより、エレメント案内部６１ａ，６２ａ、回転体収納部６１ｃ，６２ｃ及び駆動系収納部６１ｄ，６２ｅを形成してもよい。
【００６６】  また、第３実施形態の電動スライダー６では、第３ケース６３は上下方向の中間部分から２分割して、それぞれ、第１ケース６１と第２ケース６２と一体に設けて部品点数を減少させるように設計してもよい。
【００６７】  なお、第３実施形態の電動スライダー６は、第１実施形態と同様に以下の効果も有する。
【００６８】  第３実施形態の電動スライダー６は、組み付けられた第１ケース６１と第２ケース６２は、噛み合ったエレメント３が出入りする噛合側出入部６１２を有するので、エレメント３を適切に相対移動させることが可能となる。
【００６９】  また、第１ケース６１は、回転体６５、及び、噛合案内突出部６２ｄの全体を覆うように構成されている。そのため、第１ケース６１を第２ケース６２から取り外すことで、回転体６５、及び、噛合案内突出部６２ｄの部分のメンテナンスや、エレメント噛合い不良の調整を簡単に行える。
【００７０】  さらに、電動スライダー６は、第１ケース６１と第２ケース６２に組み付けられる第３ケース６３を備え、組み付けられた第１ケース６１、第２ケース６２及び第３ケース６３は、分離したエレメント３が出入りする分離側出入部６３ａを有するので、エレメント３を適切に相対移動させることが可能となる。
【００７１】  また、駆動部６４と回転体６５とは、回転軸が同一軸線状上に配置されており、駆動部６４は回転体６５に対して噛合案内突出部６２ｄと反対側に配置されている。したがって、駆動部６４の配置による制約等の悪影響を受けることなく、エレメント噛合いの調整のうえで重要となる噛合案内突出部６２ｄの形状設計を、従来どおりに自由に行うことができる。
【００７２】  以上、本実施形態の電動スライダー６は、第１ケース６１と、第１ケース６１に組み付けられる第２ケース６２と、駆動力を発生する駆動部６４と、駆動部６４が発生する駆動力によって回転し、エレメント３を相対移動させる回転体６５と、第１ケース６１と第２ケース６２の内部に設けられて、エレメント３の噛合い側に突出した噛合案内突出部６２ｄを備え、駆動部６４は、回転体６５に対して噛合案内突出部６２ｄと反対側に配置されている。したがって、本実施形態の電動スライダー６によれば、各構成要素を適切に設置し、適切に作動させることが可能となる。また、駆動部６４の配置による制約等の悪影響を受けることなく、エレメント噛合いの調整のうえで重要となる噛合案内突出部６２ｄの形状設計を、従来どおりに自由に行うことができる。さらに、駆動部６４を第１ケース６１及び第２ケース６２から突出して配置することも可能であるため、より大型で高出力な電動モータを選択して使用することもできることとなる。
【００７３】  また、本実施形態の電動スライダー６は、少なくとも第１ケース６１は回転体６５、及び、噛合案内突出部６２ｄの全体を覆うように構成されている。したがって、本実施形態の電動スライダー６によれば、第１ケース６１を第２ケース６２から取り外すことで、回転体６５、及び、噛合案内突出部６２ｄの部分のメンテナンスや、エレメント噛合い不良の調整を簡単に行うことが可能となる。
【００７４】  また、本実施形態の電動スライダー６は、組み付けられた第１ケース６１と第２ケース６２は、噛み合ったエレメント３が出入りする噛合側出入部６１２を有する。したがって、本実施形態の電動スライダー６によれば、エレメント３を適切に相対移動させることが可能となる。
【００７５】  また、本実施形態の電動スライダー６は、第１ケース６１と第２ケース６２に組み付けられる第３ケース６３を備え、組み付けられた第１ケース６１、第２ケース６２及び第３ケース６３は、分離したエレメント３が出入りする分離側出入部６３ａを有する。したがって、本実施形態の電動スライダー６によれば、エレメント３を適切に相対移動させることが可能となる。
【００７６】  また、本実施形態の電動スライダー６は、第３ケース６３は、駆動部６４を支持する支持部６３ｂを有する。したがって、本実施形態の電動スライダー６によれば、駆動部６４を適切に支持することが可能となる。
【００７７】  また、本実施形態の電動スライダー６は、駆動部６４は、第１ケース６１及び第２ケース６２で規定される領域の外側に突出して配置される。したがって、本実施形態の電動スライダー６によれば、第１ケース６１及び第２ケース６２を従来のスライダーに近い大きさ及び形状に形成することが可能となる。
【００７８】  また、本実施形態の電動スライダー６は、第２ケース６２に対して折り畳み可能に取り付けられる引手部７をさらに備える。したがって、本実施形態の電動スライダー６によれば、通常外部に目立つことがなく、電力が不足した場合に手動で移動させることが可能となる。
【００７９】  また、本実施形態の電動スライダー６は、回転体６５は、エレメント３が噛み合う側に向けて径が短くなる。したがって、本実施形態の電動スライダー６によれば、電動スライダー６を小型に形成することが可能となる。
【００８０】  また、本実施形態の電動スライダー６は、無線機と信号を通信する通信部６９をさらに備え、通信部６９は、第２ケース６２に形成された凹状の回路系収納部６２ｆに収納される。したがって、本実施形態の電動スライダー６によれば、通信部６９を目立つことなく、収納することが可能となる。
【００８１】  また、本実施形態の電動スライダー６は、駆動部６４に電力を供給する電源部６８をさらに備え、電源部６８は、第２ケース６２に形成された凹状の回路系収納部６２ｆに収納される。したがって、本実施形態の電動スライダー６によれば、電源部６８を目立つことなく、収納することが可能となる。
【００８２】  さらに、本実施形態の電動スライドファスナーシステム１０は、前記電動スライダー６と、一対のファスナーテープ２及び各ファスナーテープ２にそれぞれ固定された複数のエレメント３からなるエレメント列３０を含むスライドファスナーチェーン１と、を備え、電動スライダー６内をエレメント３が通過することで、エレメント列３０を噛合又は分離させる。したがって、本実施形態の電動スライドファスナーシステム１０によれば、各構成要素を適切に設置し、適切に作動させる電動スライダー６によって、エレメント３を円滑に噛合又は分離させることが可能となる。
【００８３】  なお、本発明の種々の実施形態について説明したが、本発明はこれらの実施形態のみに限られるものではなく、それぞれの実施形態の構成を適宜組み合わせて構成した実施形態も本発明の範疇となるものである。
【符号の説明】
【００８４】１…スライドファスナーチェーン１０…電動スライドファスナーシステム２…ファスナーテープ３…エレメント４…前止具５…後止具６…スライダー６１…第１ケース６１ａ…第１フランジ（エレメント案内部）６１ｂ…第１誘導部（エレメント案内部）６１ｃ…第１回転体収納部（回転体収納部）６１ｄ…第１駆動系収納部（駆動系収納部）６１２…噛合側出入部（エレメント案内部）６２…第２ケース６２ａ…第２フランジ（エレメント案内部）６２ｂ…第２誘導部（エレメント案内部）６２ｃ…第２回転体収納部（回転体収納部）６２ｄ…噛合案内突出部（エレメント案内部）６２ｅ…第２駆動系収納部（駆動系収納部）６２ｆ…回路系収納部６３…第３ケース６３ａ…分離側出入部（エレメント案内部）６４…駆動部６４ａ…駆動モータ６４ｂ…減速機６５…回転体６５ａ…軸部６５ｂ…エレメント送り部６５ｃ…先端軸６５ｄ…軸受（噛合案内突出部、エレメント案内部）６６…電源スイッチ６７…蓋部６８…電源部６９…通信部
【図１】
0006654705.tif 000002
【図２】
0006654705.tif 000003
【図３】
0006654705.tif 000004
【図４】
0006654705.tif 000005
【図５】
0006654705.tif 000006
【図６】
0006654705.tif 000007
【図７】
0006654705.tif 000008
【図８】
0006654705.tif 000009
【図９】
0006654705.tif 000010